(57)【要約】【課題】  基材の積層方向に周縁部が潰れにくいダンボールの提供を目的とするとともに、これを用いた箱体用キット及び箱体の提供を目的とする。【解決手段】  シート状の２枚の紙製のライナー（１ａ、４ａ）が対向配設され、これらライナー間に山谷を交互に繰り返すことにより両面側に直線状をなす複数本の稜線部が互いに平行に形成された波形状の中芯（１ｂ、４ｂ）が介装されるとともに上記稜線部分において上記ライナーに接合一体化された基材からなるダンボールとした。  また、上記基材は、その周縁が上記稜線と交差する方向に裁断されることにより、当該裁断面（１ｃ，１ｃ’）において、上記２枚のライナーが上記裁断によって出現する上記中芯の稜線部により支持されていることを特徴とするダンボール。【選択図】  図１
2007008518.tif 000002
【特許請求の範囲】
【請求項１】
シート状の２枚の紙製のライナーが対向配設され、これらライナー間に山谷を交互に繰り返すことにより両面側に直線状をなす複数本の稜線部が互いに平行に形成された波形状の中芯が介装されるとともに上記稜線部分において上記ライナーに接合一体化された基材からなるダンボールであって、
上記基材は、その周縁が上記稜線と交差する方向に裁断されることにより、当該裁断面において、上記２枚のライナーが上記裁断によって出現する上記中芯の稜線部により支持されていることを特徴とするダンボール。
【請求項２】
複数枚の上記基材が、上記ライナーを対向させて積層一体化されるとともに、隣接する基材間には、双方の上記ライナーを兼用する一枚の共通ライナーが配設されていることを特徴とする請求項１に記載のダンボール。
【請求項３】
複数枚の上記基材が、互いの上記稜線部を交差させて積層させていることを特徴とする請求項１又は２に記載のダンボール。
【請求項４】
上記請求項１ないし３のいずれか１項に記載のダンボールによって形成され、少なくとも箱体に組み立て可能な底板および側板ならびに、上記側板の表面を覆う装飾シートが内包されていることを特徴とする箱体用キット。
【請求項５】
上記請求項１ないし３のいずれか１項に記載のダンボールによって形成され、少なくとも底板とこの底板から立設する側板とを備えた箱体基体と、この箱体基体の表面に貼設された装飾シートとからなることを特徴とする箱体。
【発明の詳細な説明】
【技術分野】
【０００１】
本発明は、ティッシュケース、スツール等の箱体を形成する際に使用可能なダンボール、これを利用した箱体用キット及び箱体に関するものである。
【背景技術】
【０００２】
近年、上記箱体の材料として、廃棄し易く、環境に優しい等の観点からダンボールが用いられている。
このダンボール自体は、シート状の２枚の紙製のライナーが対向配設され、このライナー間に山谷を交互に繰り返すことにより両面側に直線上をなす複数本の稜線部が互いに平行に形成された波形状の中芯が介装されるとともに上記稜線部分において上記ライナーに接合一体化された基材から概略構成されている（所謂、Ｗフルート、Ａフルート、Ｂフルート、Ｅフルート）。そして、図６に示すように、一般的な矩形状に裁断されている場合には、中芯９ｂの接合部により形成される直線９ｂ’が裁断面９ｃにより形成される対向する二辺と平行になっている。また、多角形に裁断されている場合には、上記直線９ｂ’が裁断面９ｃにより形成されるいずれかの対向する二辺と平行になる。
【０００３】
ところが、上記直線９ｂ’と裁断面９ｃにより形成される二辺とが平行である場合には、基材が上記中芯９ｂの稜線部に沿って裁断された場合を除き、裁断面９ｃにおいて中芯９ｂとライナー９ａとが接合されていない。
そのため、このような裁断面９ｃを備えたダンボール９の周縁部は、基材の積層方向に潰れやすくなるという問題があった。
【発明の開示】
【発明が解決しようとする課題】
【０００４】
そこで本発明は、基材の積層方向に周縁部が潰れにくいダンボールを提供することを目的とするとともに、これを用いた箱体用キット及び箱体を提供することを目的とする。
【課題を解決するための手段】
【０００５】
請求項１に記載の発明は、シート状の２枚の紙製のライナーが対向配設され、これらライナー間に山谷を交互に繰り返すことにより両面側に直線状をなす複数本の稜線部が互いに平行に形成された波形状の中芯が介装されるとともに上記稜線部分において上記ライナーに接合一体化された基材からなるダンボールであって、上記基材は、その周縁が上記稜線と交差する方向に裁断されることにより、当該裁断面において、上記２枚のライナーが上記裁断によって出現する上記中芯の稜線部により支持されていることを特徴とするダンボールである。
【０００６】
請求項２に記載の発明は、請求項１に記載のダンボールにおいて、複数枚の上記基材が、上記ライナーを対向させて積層一体化されるとともに、隣接する基材間には、双方の上記ライナーを兼用する一枚の共通ライナーが配設されていることを特徴とするものである。
【０００７】
請求項３に記載の発明は、請求項１又は２に記載のダンボールにおいて、複数枚の上記基材が、互いの上記稜線部を交差させて積層させていることを特徴とするものである。
【０００８】
請求項４に記載の発明は、上記請求項１ないし３のいずれか１項に記載のダンボールによって形成され、少なくとも箱体に組み立て可能な底板および側板ならびに、上記側板の表面を覆う装飾シートが内包されていることを特徴とする箱体用キットである。
【０００９】
請求項５に記載の発明は、  上記請求項１ないし３のいずれか１項に記載のダンボールによって形成され、少なくとも底板とこの底板から立設する側板とを備えた箱体基体と、この箱体基体の表面に貼設された装飾シートとからなることを特徴とする箱体である。
【発明の効果】
【００１０】
上述の請求項１に記載の発明によれば、基材は、シート状の２枚の紙製のライナーが対向配設され、このライナー間に山谷を交互に繰り返すことにより両面側に直線上をなす複数本の稜線部が互いに平行に形成された波形状の中芯が介装されて、ライナーと中芯とが接合一体化されているため、その周縁が上記稜線と交差する方向に裁断されることにより、裁断面において、上記中芯が繰り返し出現して、ライナーを支持することができる。その結果、周縁部が基材の積層方向に潰れにくいダンボールを提供することができる。
【００１１】
上述の請求項２に記載の発明によれば、積層面に設けられた１枚の共通ライナーによって、隣接する基材間の双方のライナーを兼用して隣接する基材を積層することにより、複数枚の基材を積層一体化しているため、強度を備えたダンボールを提供することができる。
【００１２】
上述の請求項３に記載の発明によれば、複数枚の基材が、互いの稜線部を交差させて積層させているため、この稜線部に沿って折れ曲がる等の強度の低下を防止することができる。このため、例えばスツール等に利用しても人の体重に絶えうる頑丈なダンボールを提供することができる。
【００１３】
上述の請求項４に記載の発明によれば、箱体用キットには、上記ダンボールによって形成され、少なくとも箱体に組み立て可能な底板および側板ならびに、上記側板の表面を覆う装飾シートが内包されているため、ダンボール表面に装飾シートを貼設する際、周縁部の潰れを防止することができるとともに、一般の人であっても容易に貼り付けることができる。
【００１４】
上述の請求項５に記載の発明によれば、少なくとも底板とこの底板から立設する側板とを備えた箱体基体が、周縁部の潰れないダンボールによって形成されているため、箱体基体の表面に貼設された装飾シート上への凹みの出現を防止することができ、装飾美を具備する箱体を提供することができる。
【発明を実施するための最良の形態】
【００１５】
以下、本発明に係るダンボールを基材として用いた箱体用キットの第一実施形態を、図１〜図３を用いて説明する。
【００１６】
本実施形態の箱体用キットは、構成部品の形状が各々象られたダンボール１と、角隅部を補強する厚紙２と、ダンボール１の表面に貼設される装飾紙（装飾シート）とから概略構成されている。
【００１７】
このダンボール１は、シート状の２枚の紙製（例えばＫ５、Ｋ６）のライナー１ａが対向配設され、これらの間に中芯１ｂ（例えば１２０ｇ）が介装された基材からなり、この中芯１ｂは、山谷を交互に繰り返すことにより両面側に直線上をなす複数本の稜線部分が互いに平行かつ等間隔に形成された波形状を具備している。
そして、上記ライナー１ａ間隔が大きく、上記中芯１ｂの波形状の波長が長い大基材と、ライナー１ａ間隔が小さく、波長が短い小基材とが、双方のライナー１ａを兼用する１枚の共通ライナー１ａを介して積層され、一体化されている（所謂Ｗフルート）。
【００１８】
さらに、蓋体を構成する１枚の天井部１１、４枚の蓋体側部１２と、箱本体を構成する１枚の底部（底板）１３、４枚の本体側部（側板）１４とが象られている。
これらの構成部品は、各々上記中芯１ｂのライナー１ａ接合部により形成される直線１ｂ’に交差する方向に容易に裁断されるように切り込み線１ｃが入れられており、一部の接続部１ｃ’により一体化されている。また、この切り込み線１ｃと接続部１ｃ’から構成される裁断面には、中芯１ｂが一方の上記ライナー１ａに接合する第１接合部と、他方のライナー１ａに接合する第２接合部とが形成されている。
【００１９】
この天井部１１は、矩形状（正方形を含む、以下同様）であり、蓋体側部１２は、天井部１１の各辺の長さに蓋体側部１２の厚みが加算された長辺を具備する矩形状に象られている。
他方、箱本体を構成する底部１３は、天井部１１の相似形状であって、一回り小さく、本体側部１４は、上記蓋体側部１２と同様に、底部１３の各辺の長さに本体側部１４の厚みが加算された長辺を具備する矩形状に象られている。
【００２０】
上記角隅部を補強する厚紙２は、蓋体側部１２の下端部の裁断面、本体側部１４の上端部の裁断面を覆う当て紙２３、２６と、蓋体側部１２、本体側部１４の角隅部の当て紙２２、２５と、天井部１１、底部１３を覆う当て紙２１、２４とが象られている。
この蓋体側部１２の当て紙２２は、蓋体側部１２の幅と同一長さの二辺を備えた矩形状に象られており、この二辺の間に平行に折り曲げ線２５ｂが切り込まれている。同様に本体側部１４の当て紙２５は、本体側部１４の高さと同一長さの長辺を備えた矩形状に象られており、折り曲げ線２５ｂが切り込まれている。
【００２１】
上記天井部１１を覆う当て紙２１は、天井部１１の外周一周にダンボール１の厚みが加算されて矩形状に象られている。同様に当て紙２４は、底部１３の外周一周にダンボール１の厚みが加算されて矩形状に象られている。
上記蓋体側部１２の下端部の裁断面を覆う当て紙２３は、ダンボール１の厚みと同一の幅を備え、かつ蓋体側部１２の長辺と同一長さの長辺を備えて矩形状に象られている。同様に当て紙２６は、本体側部１４の被接着辺と同一長さの長辺を具備して矩形状に象られている。
【００２２】
上記装飾紙は、上記ダンボール１の各種構成部品１１、１２、１３、１４の表面積と糊しろの面積とを加味した大きさを具備している。
【００２３】
次いで、第１実施形態の箱体キットの組み立て方を説明する。
まず、各々の構成部品の形状に象られたダンボール１を準備する。
次いで、ダンボール１の各構成部品の接続部１ｃ’を鋏みにより切り取る。これにより切り取られた各構成部品を装飾紙の型紙として使用するため、各構成部品間に糊しろがとれるよう装飾紙の裏面に載置して、各々の構成部品の外周部を鉛筆によりなぞる。次いで、この鉛筆によりなぞられた構成部品の外周に糊しろ（例えば２ｃｍ幅）をとり、裁断する。
【００２４】
次に、ダンボール１の天井部１１の各裁断面に接着剤を付けて、４枚の蓋体側部１２の上端部側面をそれぞれ接着させて、蓋体を造る。同様に、底部１３の各裁断面に接着剤を付けて、４枚の本体側部１４の下端部側面をそれぞれ接着させて、箱本体を造る。
【００２５】
次に、各当て紙２３の裏面に接着剤を付けて、蓋体側部１２の下端部の裁断面を覆うようにして貼り付けられる。次いで、当て紙２２の裏面に各々接着剤を付けて、折り曲げ線２２ｂを蓋体側部１２間の連結部に沿わせて、裁断面を覆うようにして当て紙２２を貼り付ける。次に、当て紙２１の裏面に接着剤を付けて、蓋体の天井部１１表面に、蓋体側部１２の上端部の裁断面を覆うようにして貼り付ける。
【００２６】
同様に箱本体に対しても、当て紙２６を各々本体側部１４の上端部の裁断面に、当て紙２５を各々本体側部１４の連結部に、当て紙２４を底部１３にそれぞれ貼り付ける。これにより、図３に示す箱体基体が完成する。
【００２７】
次いで、各構成部品形状に象られた装飾紙を、それぞれの各部品表面に貼り付ける。
この際、ダンボール１の裁断面が各々当て紙に覆われていることにより、凹凸の形成が防止される。
【００２８】
次に、本発明に係るダンボールを基材として用いた箱体用キットの第２の実施形態を、図４及び図５を用いて説明する。
【００２９】
本実施形態の箱体用キットは、ダンボールによって形成された天井部４１、底部４２および本体側部４３と、上述の第１実施形態と同様に角隅部を補強する厚紙５と、ダンボールの表面に貼設される装飾紙（装飾シート）とが設けられている。さらに、木片７および係合部品（図中では、蝶番）８が含まれ、概略構成されている。
【００３０】
上記天井部４１は、中芯４ｂの稜線部により形成される直線が交差するように、上方に上記ライナー４ａ間隔の大きい大基材を上方に向けた状態にしてダンボール三枚が積層されており、周縁（裁断面）には、中芯４ｂが一方の上記ライナー４ａに接合する第１接合部と、他方のライナー４ａに接合する第２接合部とが出現している。また、下側の２枚のダンボールには、木片７の厚さと同一深さであり、かつ木片７の長辺と同一幅の凹部４１ａが形成されている。
【００３１】
底部４２は、中芯４ｂの稜線部により形成される直線が交差するように、上方に上記ライナー４ａ間隔の大きい大基材を上方に向けた状態にしてダンボール三枚が積層されている。
また、同様に、本体側部４３は、上記直線が交差するように、大基材を外側に向けた状態にしてダンボール三枚が積層されている。外側の２枚のダンボールには、上部中央に木片７の厚さと同一深さであり、かつ木片７の長辺と同一幅の凹部４３ａが形成されている。
【００３２】
上記厚紙５は、上述の第１実施形態と同様に、本体側部４３の上端部の裁断面を覆う当て紙５２と、本体側部４３の角隅部の当て紙５４と、天井部４１、底部４２を覆う当て紙５１、５３とがそれぞれ象られている。
上記装飾紙は、ダンボールの各種構成部品４１、４２、４３の表面積と各々の糊しろとを採ることができる面積を備えた紙である。
上記木片７は、ダンボール２枚の厚みと同一幅を具備している。
【００３３】
次いで、第２実施形態の箱体キットの組み立て方を説明する。
まず、ダンボールによって形成された天井部４１、底部４２および本体側部４３を準備して、これらの各構成部品を型紙として装飾紙を裁断する。
【００３４】
次いで、ダンボールの天井部４１の凹部４１ａと、本体側部４３の凹部４３ａにそれぞれ接着剤を付けて木片７を貼設する。ダンボールの底部４３の各裁断面に接着剤を付けて、本体側部４３の下端部側面をそれぞれ接着させて、箱本体を造る。
【００３５】
次に、上記第１実施形態と同様に、当て紙を各構成部品に貼り付けて、箱体基体を製作した後、装飾紙を各構成部品表面に貼り付ける。この際、ダンボールの裁断面が各々当て紙に覆われているため、凹凸の形成が防止される。
【００３６】
次いで、上記凹部４１ａおよび凹部４３ａに木片７を貼設して、この木片７に蝶番８を螺子等により固定して、図４及び５に示すスツールを完成させた。
このスツールの天井部４１は、上記中芯４ｂの稜線部が交差するように複数枚のダンボールが積層されているため、人間の体重にも絶えうる強度を具備している。
【００３７】
上述のように、ダンボールは、中芯１ｂ、４ｂの稜線と交差する方向に裁断されることにより、裁断面において、中芯が等間隔に出現して、少なくとも中芯１ｂ、４ｂが一方のライナー１ａ、４ａに接合する第１接合部と他方のライナー１ａ、４ａに接合する第２接合部とを備えて、ライナー１ａ、４ａを支持するため、周縁部が潰れにくいダンボールを提供することができるとともに、角隅部が潰れにくい箱体を提供することができる。
【００３８】
なお、本発明のダンボール、箱体用キット及び箱体は、上述の実施の形態に限られない。例えば、ダンボール１は、Ｗフルートではなく、Ａフルート、Ｂフルートであってもよく、構成部品毎に裁断された状態であってもよい。
【図面の簡単な説明】
【００３９】
【図１】第１実施形態のダンボールを示す斜視図である。
【図２】第１実施形態の厚紙を示す斜視図である。
【図３】第１実施形態の箱体を示す側面図である。
【図４】第２実施形態の箱体を示す斜視説明図である
【図５】第２実施形態の箱体を示す断面図である
【図６】従来のダンボールを示す斜視図である。
【符号の説明】
【００４０】
１・・・ダンボール
１ａ、４ａ・・・ライナー
１ｂ、４ｂ・・・中芯
【図１】
2007008518.tif 000003
【図２】
2007008518.tif 000004
【図３】
2007008518.tif 000005
【図４】
2007008518.tif 000006
【図５】
2007008518.tif 000007
【図６】
2007008518.tif 000008